(57)【要約】【課題】  構造を複雑化せずに屋根の気密性・断熱性を向上することができる住宅の屋根構造を提供すること。  【解決手段】  各垂木１０が、横断面が長方形の長方形部１１と、この長方形部１１の下方にあって当該長方形部よりも幅広の鍔部１５とからなり、  断熱材２０が、隣り合う垂木（１０，１９）同士の間に配設される嵌合部２１と、当該嵌合部２１の上方にあって幅広の出っ張り部２５からなり、当該嵌合部２１の端部が各垂木１０の長方形部１１の側面１２と当接する第１端部分２２と、各垂木１０の鍔部１５の上面１６と当接する第２端部分２３とからなり、当該出っ張り部２５は各垂木１０の長方形部１１の上面１３と当接するように形成する。【選択図】      図１
2006138184.tif 000002
【特許請求の範囲】
【請求項１】
住宅の軒から棟に亘って延びる複数本の木製の垂木が設けられており、互いに隣り合う垂木同士の間には断熱材が配設された屋根構造において、
前記各垂木が、横断面が長方形の長方形部と、この長方形部の下方にあって当該長方形部よりも幅広の鍔部とからなり、
前記断熱材が、隣り合う垂木同士の間に配設される嵌合部と、当該嵌合部の上方にあって幅広の出っ張り部からなり、当該嵌合部の端部が前記各垂木の長方形部の側面と当接する第１端部分と、前記各垂木の鍔部の上面と当接する第２端部分とからなり、当該出っ張り部は前記嵌合部よりも厚さが薄くかつ前記各垂木の長方形部の上面と当接するように形成されたことを特徴とする住宅の屋根構造。
【請求項２】
前記断熱材が、嵌合部を隣り合う垂木同士の間に位置させた状態で出っ張り部を前記各垂木の長方形部の上面に金属製の固定部材によって固定し、かつ、当該固定部材および出っ張り部の端部分を木製の通気垂木で上から覆うようにした住宅の屋根の屋根構造。
【発明の詳細な説明】
【技術分野】
【０００１】
本発明は、住宅の屋根構造に関する。
【背景技術】
【０００２】
従来より、複数本の垂木が設けられた屋根構造が知られている（例えば、特許文献１参照）。
【０００３】
特許文献１に係る屋根構造は、住宅の軒から棟に亘って延びる複数本の垂木５０が設けられており、図７に示すように、垂木５０ の延長方向（伸延方向）に対して略直交する住宅桁方向に延びる横材（野縁材５１等）が、各垂木５０ の室内側面に架け渡されて取り付けられ、当該横材（５１）の室内側面に天井板５２が取り付けられている。各垂木 ５０の上側には野路板５３や瓦５４が設けられている。そして、互いに隣り合う垂木 （５０，５０）同士の間には、この垂木 ５０同士の間の空間を略埋める第１の断熱材（ ボード系断熱材）５５が設けられており、かつ、互いに隣り合う横材（５１，５１）同士の間には、当該横材（５１，５１）同士の間の空間を略埋める第２の断熱材（繊維系断熱材）５６が設けられている。
【０００４】
このように、第１の断熱材５５だけではなく第２の断熱材５６を組み込んだのは、屋根の断熱材を向上させるためであると、特許文献１には記載されている。特許文献１以前の屋根構造では、垂木自身が野路板と天井板との間の伝熱材となって帯状のヒートブリッジ（断熱欠損）が生じて屋根の断熱材が不十分となるという事態が生じることがあったが、当該特許文献１に係る屋根構造では上記事態の発生を防げると記載されている。
【特許文献１】特開２０００−２２０２４６号公報
【発明の開示】
【発明が解決しようとする課題】
【０００５】
ところで、上記した特許文献１に係る屋根構造では、屋根の断熱材や気密性が不十分となるといった事態が生じないとしても、種類の異なる断熱材を組み込まなければならず、構造が複雑化し手間が掛かるといった厄介な問題が生じる。
【０００６】
本発明の目的は、構造を複雑化せずに屋根の気密性・断熱性を向上することができる住宅の屋根構造を提供することにある。
【課題を解決するための手段】
【０００７】
上記目的を達成するために、請求項１の発明は、住宅の軒から棟に亘って延びる複数本の木製の垂木が設けられており、互いに隣り合う垂木同士の間には断熱材が配設された屋根構造において、前記各垂木が、横断面が長方形の長方形部と、この長方形部の下方にあって当該長方形部よりも幅広の鍔部とからなり、前記断熱材が、隣り合う垂木同士の間に配設される嵌合部と、当該嵌合部の上方にあって幅広の出っ張り部からなり、当該嵌合部の端部が前記各垂木の長方形部の側面と当接する第１端部分と、前記各垂木の鍔部の上面と当接する第２端部分とからなり、当該出っ張り部は前記嵌合部よりも厚さが薄くかつ前記各垂木の長方形部の上面と当接するように形成されたことを特徴とする。
【０００８】
上記請求項１の発明の場合、各垂木と断熱材とは三重に密着している（各垂木の長方形部の側面と断熱材の嵌合部の第１端部分、各垂木の鍔部と断熱材の嵌合部の第２端部分、各垂木の長方形部の上面と断熱材の出っ張り部）ので、屋根の気密性・断熱性が向上する。このように、各垂木の形状（それに伴う断熱材の形状）を工夫することにより、１種類の断熱材だけで気密性・断熱性の向上することができる。
【０００９】
請求項２の発明は、前記断熱材が、嵌合部を隣り合う垂木同士の間に位置させた状態で出っ張り部を前記各垂木の長方形部の上面に金属製の固定部材によって固定し、当該固定部材および出っ張り部の端部分を木製の通気垂木で上から覆うようにしたものである。
【００１０】
上記請求項２の発明の場合、請求項１の発明と同様な作用・効果を奏する他、断熱材全体が厚くても、厚さが薄い出っ張り部を垂木に固定するので、金属製の固定部材（例えば、釘やビス）の長さを格別長くしなくても確実に垂木に固定することができる。また、断熱材出っ張り部の端部分と固定部材とは木製の通気垂木で上から覆われるので、さらに気密性・断熱性が良くなる。
【発明を実施するための最良の形態】
【００１１】
以下、本発明の実施形態を図面を参照して説明する。
【００１２】
本発明に係る住宅の屋根構造は、図１〜図４に示すように、基本的構成は従来の構成と同じであるが、木製の各垂木１０が長方形部１１と鍔部１５とからなり、断熱材２０が嵌合部２１と出っ張り部２５とからなり、各垂木１０と断熱材２０とは三重に密着した構成とされている。さらにまた、断熱材２０が、嵌合部２１を隣り合う垂木（１０，１０）同士の間に位置させた状態で出っ張り部２５を各垂木１０の長方形部１１の上面１３に金属製の固定部材（たとえば、釘やビス）によって固定し、かつ、当該固定部材および出っ張り部２５の端部分を木製の通気垂木４０で上から覆うようにした構成とされている。
【００１３】
なお、従来例（図７）と同じ部分については同一の符号を付し、その説明を省略または簡略化する。
【００１４】
具体的に本屋根構造の各構成要素を説明する。
【００１５】
各垂木１０は、図４に示すように、横断面が長方形の長方形部１１と、この長方形部１１の下方にあって当該長方形部１１よりも幅広の鍔部１５とからなる。ここで、各垂木１０の鍔部１５の幅（各垂木１０の長手方向とは直交する長さ。図４では、左右方向の長さ）ｗ１は、長方形部１１の幅ｗ２より大きい。図４では、各垂木１０は、紙面と直交方向に伸延している。隣り合う垂木（１０，１０）同士は、中心間距離がＬ１とされている。なお、各垂木 １０の上側には、図１に示すように、野路板６等を介して瓦（図示省略）が設けられている。また、図６に示すように、垂木１０ の伸延方向に対して略直交して桁５が設けられている。桁５の室内側面には、例えば天井板（図示省略）が取り付けられている。
【００１６】
垂木１０は、一度に５面を加工できる加工機械によって、一本の長寸の木製部材の所定部位を切断することにより形成されており、上記した長方形部１１と鍔部１５とは一体に形成されている。
【００１７】
断熱材２０は、隣り合う垂木〈１０，１０〉同士の間に配設される嵌合部２１と、当該嵌合部２１の上方にあって幅広で厚さが薄い出っ張り部２５からなる。この断熱材２０の嵌合部２１は、その端部が各垂木１０の長方形部１１の側面１２と当接する第１端部分２２と、各垂木１０の鍔部１５の上面１６と当接する第２端部分２３とからなる。断熱材２０の出っ張り部２５は、各垂木１０の長方形部１１の上面１３と当接するように形成されている。断熱材２０の出っ張り部２５は、その厚さ（図４中上下方向の長さ）が嵌合部２１の厚さよりも相当程度小さくなるように形成されている。より具体的には、断熱材２０の嵌合部２１の幅寸法ｐ１が、隣り合う垂木（１０，１０）の長方形部（１１，１１）の内側の側面（１２，１２）の間の距離（すなわち、Ｌ１−ｗ２）となるように形成されている。また、断熱材２０の嵌合部２１の高さ寸法（図４中上下方向の長さ）が、垂木１０の長方形部（１１，１１）の側面（１２，１２）の高さと同一となるように形成されている。また、断熱材２０の出っ張り部２５の出っ張り長さｐ２は、垂木１０の長方形部１１の上面１３の幅寸法の半分となるように形成されている。
【００１８】
さらにまた、この実施形態では、断熱材２０は、嵌合部２１を隣り合う垂木（１０，１０）同士の間に位置させた状態で出っ張り部２５を各垂木１０の長方形部１１の上面１３に金属製の固定部材（この実施形態では、釘やビス）によって固定し、かつ、当該固定部材および出っ張り部２５の端部分を木製の通気垂木４０で上から覆うようにされている。
【００１９】
上記した構成の本屋根構造では、各垂木１０と断熱材２０とは三重に密着している（各垂木１０の長方形部１１の側面１２と断熱材２０の嵌合部２１の第１端部分２２、各垂木１０の鍔部１５と断熱材２０の嵌合部２１の第２端部分２３、各垂木１０の長方形部１１の上面１３と断熱材２０の出っ張り部２５）ので、屋根の気密性・断熱性が向上する。このように、各垂木１０の形状（それに伴う断熱材２０の形状）を工夫することにより、１種類の断熱材（ボード系断熱材）だけで気密性・断熱性を向上させることができる。
【００２０】
また、断熱材２０全体が厚くても、厚さが薄い出っ張り部２５を垂木１０に固定するので、金属製の固定部材（例えば、釘）の長さを格別長くしなくても確実に垂木１０に固定することができる。また、断熱材２０の出っ張り部２５の端部分と固定部材（図示省略）とは木製の通気垂木４０で上から覆われるので、さらに気密性・断熱性が良くなる。なお、図６に示すように、断熱材２０と桁５との間に現場発泡ウレタン４６を充填し、外側よりコーキング４５を施工することにより、更に気密性・断熱性は向上する。
【図面の簡単な説明】
【００２１】
【図１】本発明の実施形態を説明するための図である。
【図２】垂木および断熱材の形状を説明するための斜視図である。
【図３】本屋根構造の施工方法を説明するための図である。
【図４】各垂木と断熱材との係合状態を説明するための図である。
【図５】本屋根構造の全体を説明するための図である。
【図６】断面欠損部の補強を説明するための図である。
【図７】従来の屋根構造を示す図である。
【符号の説明】
【００２２】
１０    垂木
１１    長方形部
１２    側面
１３    上面
１５    鍔部
１６    上面
２０    断熱材
２１    嵌合部
２２    第１端部分
２３    第２端部分
２５    出っ張り部
２６    端部分
４０    通気垂木
【図１】
2006138184.tif 000003
【図２】
2006138184.tif 000004
【図３】
2006138184.tif 000005
【図４】
2006138184.tif 000006
【図５】
2006138184.tif 000007
【図６】
2006138184.tif 000008
【図７】
2006138184.tif 000009
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
住宅の軒から棟に亘って延びる複数本の木製の垂木が設けられており、互いに隣り合う垂木同士の間には断熱材が配設された屋根構造において、
前記各垂木が、横断面が長方形の長方形部と、この長方形部の下方にあって当該長方形部よりも幅広の鍔部とからなり、
前記断熱材が、隣り合う垂木同士の間に配設される嵌合部と、当該嵌合部の上方にあって幅広の出っ張り部からなり、当該嵌合部の端部が前記各垂木の長方形部の側面と当接する第１端部分と、前記各垂木の鍔部の上面と当接する第２端部分とからなり、当該出っ張り部は前記嵌合部よりも厚さが薄くかつ前記各垂木の長方形部の上面と当接するように形成されており、
さらに、前記断熱材が、嵌合部を隣り合う垂木同士の間に位置させた状態で出っ張り部を前記各垂木の長方形部の上面に金属製の固定部材によって固定し、かつ、当該固定部材および出っ張り部の端部分を木製の通気垂木で上から覆うようにした住宅の屋根の屋根構造。
【手続補正２】
【補正対象書類名】明細書
【補正対象項目名】０００７
【補正方法】変更
【補正の内容】
【０００７】
上記目的を達成するために、請求項１の発明は、住宅の軒から棟に亘って延びる複数本の木製の垂木が設けられており、互いに隣り合う垂木同士の間には断熱材が配設された屋根構造において、前記各垂木が、横断面が長方形の長方形部と、この長方形部の下方にあって当該長方形部よりも幅広の鍔部とからなり、前記断熱材が、隣り合う垂木同士の間に配設される嵌合部と、当該嵌合部の上方にあって幅広の出っ張り部からなり、当該嵌合部の端部が前記各垂木の長方形部の側面と当接する第１端部分と、前記各垂木の鍔部の上面と当接する第２端部分とからなり、当該出っ張り部は前記嵌合部よりも厚さが薄くかつ前記各垂木の長方形部の上面と当接するように形成されており、さらに、前記断熱材が、嵌合部を隣り合う垂木同士の間に位置させた状態で出っ張り部を前記各垂木の長方形部の上面に金属製の固定部材によって固定し、かつ、当該固定部材および出っ張り部の端部分を木製の通気垂木で上から覆うようにしたことを特徴とする。
。
【手続補正３】
【補正対象書類名】明細書
【補正対象項目名】０００８
【補正方法】変更
【補正の内容】
【０００８】
上記請求項１の発明の場合、各垂木と断熱材とは三重に密着している（各垂木の長方形
部の側面と断熱材の嵌合部の第１端部分、各垂木の鍔部と断熱材の嵌合部の第２端部分、
各垂木の長方形部の上面と断熱材の出っ張り部）ので、屋根の気密性・断熱性が向上する
。このように、各垂木の形状（それに伴う断熱材の形状）を工夫することにより、１種類
の断熱材だけで気密性・断熱性の向上することができる。
また、断熱材全体が厚くても、厚さが薄い出っ張り部を垂木に固定するので、金属製の固定部材（例えば、釘やビス）の長さを格別長くしなくても確実に垂木に固定することができる。また、断熱材出っ張り部の端部分と固定部材とは木製の通気垂木で上から覆われるので、さらに気密性・断熱性が良くなる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】